(57)【要約】【課題】絶縁性低下の原因となっている封止層の絶縁性低下の原因となっている封止樹脂の耐湿性と硫化ガスのバリア性を向上させ、もって、マイグレーションなどの接続不良を低減することが可能な実装構造を備えたプラズマディスプレイパネルを提供することを目的とする。【解決手段】プラズマディスプレイパネルの基板１１上に形成された端子電極１５とフレキシブル基板１４の接続電極１６とが、異方性導電膜１７を介して接続され、前記端子電極１５と前記接続電極１６との接続部、および、露出した端子電極１３は、封止樹脂層１８で被覆された構造を有するプラズマディスプレイパネルであって、前記封止樹脂層１８が、銀イオン担持ゼオライト２０を含む光硬化型樹脂により形成されたことを特徴とするプラズマディスプレイパネルである。【選択図】図２
2010244707.tif 000002
【特許請求の範囲】
【請求項１】
プラズマディスプレイパネルの基板上に形成された端子電極とフレキシブル基板の接続電極とが、異方性導電膜を介して接続され、前記端子電極と前記接続電極との接続部、および、露出した端子電極は、封止樹脂層で被覆された構造を有するプラズマディスプレイパネルであって、前記封止樹脂層が、銀イオン担持ゼオライトを含む光硬化型樹脂により形成されたことを特徴とするプラズマディスプレイパネル。
【発明の詳細な説明】
【技術分野】
【０００１】
本発明は、表示デバイスであるプラズマディスプレイパネル（以下、ＰＤＰ）に関し、特にその実装構造に関する。
【背景技術】
【０００２】
近年、大画面で薄型軽量を実現できるカラー表示デバイスとしてＰＤＰが注目されている。
【０００３】
このＰＤＰは、大別して、駆動的にはＡＣ型とＤＣ型があり、放電形式では面放電型と対向放電型の２種類があるが、高精細化、大画面化および製造の簡便性から、現状では、主流は、３電極構造の面放電型のものである。
【０００４】
ＰＤＰの構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００５】
このようなＰＤＰは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００６】
ここで、図３に、このＰＤＰにおける実装構造の概略構成を断面で示す。
【０００７】
図３に示されるＰＤＰの実装構造は、ＰＤＰの電極の端子部分２５（以下、端子電極２５という）とフレキシブル基板２４（以下、ＦＰＣ２４という）の接続電極２６とを異方性導電膜２７（以下、ＡＣＦ２７という）を介して熱圧着で電気的に接続された構造である。
【０００８】
そして、電極端子間の機械的強度は、ＡＣＦ２７のバインダとしてのエポキシ材料で保持している。
【０００９】
また、ＡＣＦ２７の接続部や露出した端子電極２３が水分の浸入などによる電極端子間の絶縁不良が発生してしまうことを防止するために、第１のガラス基板２１に形成された端子電極２５や接続部の全体とＦＰＣ２４の一部を第１の封止樹脂層２８にて覆っている。
【００１０】
また、第１のガラス基板２１の端面とＦＰＣ２４の一部を第２の封止樹脂層２９にて覆い、接続部やＡＣＦ２７の端部の水分浸入を防止する構造となっている（特許文献１参照）。
【特許文献１】特開２０００−９０８４０号公報
【発明の開示】
【発明が解決しようとする課題】
【００１１】
しかしながら、前記従来の構成における、第１の封止樹脂層２８及び第２の封止樹脂層２９では、高温多湿な環境下において、封止樹脂の吸水により、端子電極間での電気絶縁性が低下してしまうという課題を有していた。特に、端子電極が銀を主体とする金属で構成されている場合、端子電極間においてマイグレーションを起こすため、近年における端子電極ピッチの狭小化対応を困難としている。
【００１２】
本発明はこのような現状に鑑みなされたもので、絶縁性低下の原因となっている封止層の絶縁性低下の原因となっている封止樹脂の耐湿性と硫化ガスのバリア性を向上させ、もって、マイグレーションなどの接続不良を低減することが可能な実装構造を備えたＰＤＰを提供することを目的とする。
【課題を解決するための手段】
【００１３】
上記目的を実現するために本発明のＰＤＰは、ＰＤＰの基板上に形成された端子電極とフレキシブル基板の接続電極とが、異方性導電膜を介して接続され、前記端子電極と前記接続電極との接続部、および、露出した端子電極は、封止樹脂層で被覆された構造を有するＰＤＰであって、前記封止樹脂層が、銀イオン担持ゼオライトを含む光硬化型樹脂により形成されたことを特徴とする。
【発明の効果】
【００１４】
本発明によれば、電極近傍への水分および硫化ガスの透過を低減することが可能となるので、もって、マイグレーションなどの接続不良を低減させることが可能な実装構造を備えたＰＤＰを実現することができる。
【発明を実施するための最良の形態】
【００１５】
以下、本発明の一実施の形態によるＰＤＰについて図面を参照しながら説明する。
【００１６】
まず、ＰＤＰの構造について図１を用いて説明する。図１はＰＤＰの概略構造を示す一部断面斜視図である。
【００１７】
図１に示すように、ＰＤＰは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。走査電極３と維持電極４とはそれぞれ、透明電極と銀を材料とするバス電極とにより構成されている。
【００１８】
そして、走査電極３および維持電極４を覆うように誘電体層５が形成され、誘電体層５上には保護層６が形成されている。
【００１９】
また、背面基板２上には絶縁体層７で覆われた複数の、銀を材料とするデータ電極８が設けられ、その絶縁体層７上には井桁状の隔壁９が設けられている。また、絶縁体層７の表面および隔壁９の側面に蛍光体層１０が設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００２０】
図２は、本発明の一実施の形態によるＰＤＰにおける実装構造を概略的に示す、概略断面図である。図２に示すように本発明の一実施の形態によるＰＤＰにおける実装構造は、対をなす第１のガラス基板１１と第２のガラス基板１２とがシール材１９で封着され、第１のガラス基板１１に銀を主体とする端子電極１５が形成されており、フレキシブル基板１４（以下、ＦＰＣ１４という）の接続電極１６と、異方性導電膜１７（以下、ＡＣＦ１７という）を介して熱圧着で接続されている。
【００２１】
ここで、図２における、第１のガラス基板１１および第２のガラス基板１２の組み合わせは、図１における、前面基板１および背面基板２の組合せであり、また、端子電極１５は、走査電極３や維持電極４を構成するバス電極であったり、データ電極８であったり、する。
【００２２】
ＦＰＣ１４は、ポリイミドフィルムからなるベースフィルム上に端子電極１５と同じ配線間隔で接続電極１６を形成したもので、接続電極１６は、銅箔にニッケル下地膜を形成し、その表面に金膜を形成した構造となっている。
【００２３】
端子電極１５とＦＰＣ１４の接続電極１６とは、３〜１１μｍ粒径のＡＣＦ１７を介して接触させ熱圧着することにより電気的接続している。
【００２４】
接続部や露出した端子電極１３は、封止樹脂層１８で被覆している。具体的には、例えば、アクリル樹脂を主体とする光硬化性封止樹脂を接続部や露出した端子電極１３とＦＰＣ１４の一部を覆うようにディスペンサで所定の量に塗布し、その後、樹脂を硬化させることで封止樹脂層１８を形成する。
【００２５】
ここで、封止樹脂層１８には、銀イオン担持ゼオライト２０を添加している。銀イオン担持ゼオライト２０は、光硬化性樹脂の体積比０．０１〜０．５％が望ましい。
【００２６】
ここで表１に、ライン／スペース＝０．１ｍｍ／０．１ｍｍで端子電極１５と接続電極１６を作成し、ＡＣＦ１７を介して熱圧着したのち、体積比０．０１〜０．５％で銀イオン担持ゼオライト２０を添加した光硬化性樹脂で封止したＰＤＰを、硫化水素ガス０．１％〜１．０濃度で６０℃、９５％の高湿の環境下で点灯下の耐湿試験を実施し、端子電極１５間の絶縁抵抗変化を観察した結果を示す。
【００２７】
【表１】
2010244707.tif 000003
【００２８】
表１に示すように、銀イオン担持ゼオライトを添加したものは、無添加した場合と比べ、端子電極１５間の絶縁抵抗の低下が起こりにくいという結果を得た。これは、図２に示す実装構造においては、高湿、通電下において封止樹脂層１８を透過する水分は、銀イオン担持ゼオライト２０のゼオライトが吸着され、かつ封止樹脂層１８を透過する硫化ガスの硫黄は、銀イオン担持ゼオライト２０の銀イオン１９と結合することとなり、もって、電極近傍への水分と硫化ガスの侵入を低減でき、その結果、端子電極１５間の絶縁性低下を防止でき、マイグレーションなどの接続不良を解消できたものと考えられる。
【産業上の利用可能性】
【００２９】
以上のように本発明は、大画面、高精細のＰＤＰを提供する上で有用な発明である。
【図面の簡単な説明】
【００３０】
【図１】プラズマディスプレイパネルの概略構成を示す一部断面斜視図
【図２】本発明の一実施の形態によるＰＤＰにおける実装構造を概略的に示す、概略断面図
【図３】プラズマディスプレイパネルにおける実装構造の概略構成を示す断面図
【符号の説明】
【００３１】
１１  第１のガラス基板
１２  第２のガラス基板
１３  露出した端子電極
１４  フレキシブル基板
１５  端子電極
１６  接続電極
１７  異方性導電膜
１８  封止樹脂層
１９  シール材
２０  銀イオンを担持したゼオライト
【図１】
2010244707.tif 000004
【図２】
2010244707.tif 000005
【図３】
2010244707.tif 000006